(57)【要約】【課題】内フラップと外フラップをボクサー止めすることなくロックして空気流通用の開口も設けた段ボール包装箱を提供する。【解決手段】箱主体１の一方の対向する側板部１１、１１の上端縁に折曲線１１ａ、１１ａを介して連設した各内フラップ２、２の中央に先端縁から基端の前方に達するように設けた２本の切込線２１、２１間に係止片３をその基端の２条の折返線３ａを介して連設した押え片部３１と該押え片部３１の先端に折曲線３ｂを介して挿し込み片部３２を連設させて形成したものとしたうえ、各内フラップ２、２の基端に前記挿し込み片部３２を挿し込むスリット３３を設け、また、箱主体１の他方の対向する側板部１２、１２の上端縁に折曲線１２ａ、１２ａを介して連設した各外フラップ４、４をその両側部に細幅な突合せ板部４１を残して前記係止片３が臨む切欠部５を設ける。【選択図】    図１
2004284669.tif 000002
【特許請求の範囲】
【請求項１】
箱主体の一方の対向する側板部の上端縁に折曲線を介して連設した各内フラップの中央に先端縁から基端の前方に達するように設けた２本の切込線間に係止片をその基端の２条の折返線を介して連設した押え片部と該押え片部の先端に折曲線を介して挿し込み片部を連設させて形成したものとしたうえ、各内フラップの基端に前記挿し込み片部を挿し込むスリットを設け、また、箱主体の他方の対向する側板部の上端縁に折曲線を介して連設した各外フラップをその両側部に細幅な突合せ板部を残して前記係止片が臨む切欠部を設けたことを特徴とする段ボール包装箱。
【発明の詳細な説明】
【０００１】
【発明の属する技術分野】
本発明は、白菜、キャベツ等の野菜類を箱詰めして運搬、保管するために使用する段ボール包装箱に関するものである。
【０００２】
【従来の技術】
白菜、キャベツ等の野菜類を箱詰めして運搬、保管するために使用する段ボール包装箱は野菜類が蒸れて鮮度が落ちないようにするために箱主体の上部開口を閉じる上フラップの間に空気流通用の開口を設ける必要がある。そのため、従来は図６に示すように、Ａ式の段ボール箱の各上フラップ１０１ａ、１０１ｂをショートフラップとしてその先端間に空気流通用の開口１００を形成していた。そして、野菜類を収納したら上フラップの内フラップ１０１ａと外フラップ１０ｂとの重合箇所をボクサー止め１０２によりロックするものであった。しかし、このボクサー止め１０２は、開梱する際に手数が係る上にワイヤが手に接触したり、飛んで危険であるばかりでなく、野菜類を傷つける虞もあった。そこで、これを解決するものとしてボクサー止めによらずにフラップに係止部を形成して内フラップと外フラップとをロックするものが提案されている。（例えば、特許文献１、２参照）
【０００３】
【特許文献１】特開２００１−３０１７４２号公報（図２）
【特許文献２】特開２００２−２６６５号公報（図２）
【０００４】
【発明が解決しようとする課題】
ところが、前記した特許文献１、２に記載のものは、ボクサー止めによらずにフラップをロックすることができるものであるが、何れもロック用の係止片がフラップ上面より露出したものであるため、段積みした場合に上側に位置する箱を引きずった際に破損してロック機能を損なう問題がある。
【０００５】
【課題を解決するための手段】
前記の課題を解決するためになされた本発明の段ボール包装箱は、箱主体の一方の対向する側板部の上端縁に折曲線を介して連設した各内フラップの中央に先端縁から基端の前方に達するように設けた２本の切込線間に係止片をその基端の２条の折返線を介して連設した押え片部と該押え片部の先端に折曲線を介して挿し込み片部を連設させて形成したものとしたうえ、各内フラップの基端に前記挿し込み片部を挿し込むスリットを設け、また、箱主体の他方の対向する側板部の上端縁に折曲線を介して連設した各外フラップをその両側部に細幅な突合せ板部を残して前記係止片が臨む切欠部を設けたことを特徴とするものである。
【０００６】
前記した発明によれば、内フラップと外フラップをもって上部開口に重合させて施蓋した後に内フラップに形成した係止片を外フラップの切欠部を介して上方に折曲させたうえ押え片部を外フラップの細幅な突合せ板部の上面に添装して該押え片部の先端に折曲線を介して連設した挿し込み片部を内フラップの基端に設けたスリットに挿し込めば、外フラップと内フラップは係止片によりにロックされて開蓋されることのないものであるうえ切欠部が開口された状態となるので箱主体内に外気が流通するので収納した野菜類が蒸れて鮮度が落ちる問題がないものである。
【０００７】
【発明の実施の形態】
次に、本発明の実施の形態を図を参照して説明する。
１は箱主体であり、該箱主体１の一方の対向する側板部１１、１１の上端縁に折曲線１１ａ、１１ａを介して内フラップ２、２が連設されている。この各内フラップ２の中央に先端縁から基端の前方に達するように設けた２本の切込線２１、２１間に係止片３をその基端に段ボール素板厚さの間隔をおいて２条の折返線３ａを介して連設した押え片部３１と該押え片部３１の先端に折曲線３ｂを介して挿し込み片部３２を連設させて形成している。また、各内フラップ２の基端には折曲線１１ａに添わせて前記挿し込み片部３２を挿し込むスリット３３が設けられている。また、係止片３の押え片部３１には摘み３４が半円状の切込線３４ａにより形成されている。
【０００８】
また、前記箱主体１の他方の対向する側板部１２、１２の上端縁に折曲線１２ａ、１２ａを介して外フラップ４、４が連設されている。この各外フラップ４はその両側部には前記内フラップ２の基端と切込線２１、２１の基端との間の幅の無切込部と同幅とした先端同士が突き合う細幅な突合せ板部４１を残して前記係止片３が臨む切欠部５を設けている。なお、図示の外フラップ４のように、中央に先端同士が突き合う中央突合せ板部４２を残してその両側に切欠部５、５を設けておけば一方の切欠部５が空気導入に他方の切欠部５が空気排出口となり空気流通に好ましいが、中央突合せ板部４２を残すことなく切欠部を一連に設けてもよい。また、底部のフラップの構造は特に限定されるものではないが、図３の点線及び図５の段ボール素板に示すように一切の封緘材不要とする所謂ワンタッチ形式を採用している。
【０００９】
このように構成されたものは、箱主体１に白菜、キャベツ等の野菜類を収納して、箱主体１の上部開口を各内プラップ２を内側に伏倒させたうえ各外フラップ４を該内プラップ２に重合するように伏倒させて施蓋する。このように施蓋すれば、外フラップ４には内フラップ２に形成した係止片３が臨む切欠部５が設けてあるので、図２に示しようにこの切欠部５を通して前記係止片３の基端の２条の折返線３ａを介して連設した押え片部３１を先ず基端側の折返線３ａを上方に向け折曲したうえ段ボール素板厚さの間隔をおいた先端側の折返線３ａを外向きに折曲して、該押え片部３１の先端に折曲線３ｂを介して連設した挿し込み片部３２を内フラップ２の基端に折曲線１１ａに添わせて設けたスリット３３に挿し込めば、外フラップ４の細幅な突合せ板部４１、４１は内フラップ２の基端と係止片３の押え片部３１に挟持されるので、外フラップ４と内フラップ２は係止片３によりにロックされて開蓋されることのないものである。
【００１０】
そして、切欠部５が臨む係止片３は前記したとおりロック状態では上方外向きに折曲されているので切欠部５は開口した状態であるから、この切欠部５を通じて外気が箱主体１内に入り内部の空気と入れ替わり野菜類が蒸れることなく保管、運搬をすることができるものである。また、野菜類を収納した段ボール製包装箱は保管、運搬の際に段積みする場合に上方の箱を引きずっても、係止片３の挿し込み片部３２はスリット３３から箱主体１内に挿し込まれて箱主体から露出していないで他物に接触し、破損してロック機能を損なう問題がないものである。
【００１１】
さらに、段積みした場合に外フラップ４の上面に係止片３の押え片部３１が位置しているので、該押え片部３１の厚さが上下の箱のスペーサとなり、段積みした上下の箱の間には押え片部３１の厚さ分の空気流通路が形成されるので、段積みしてもこの空気流通路を介して箱主体１の空気が入れ替わるものである。なお、底部のフラップの構造を図３の点線及び図５の展開図に示すように一切の封緘材不要とする所謂ワンタッチ形式を採用すれば、底部は周縁から中央に向かい上げ底状となり底部下面と下段の外フラップの間は空気の流通がよいものとなる。
【００１２】
このように野菜類を収納した段ボール製包装箱の外フラップ４と内フラップ２を開くには、係止片３の挿し込み片部３２をスリット３３から手指により引き出だせば、係止片３は基端の２条の折返線３ａを支点に段ボールのもつ弾発力により切欠部３の内側に復帰して外フラップ４の引き起こしの障害とならないので外フラップ４、内フラップ２の順により引き起こせばよいものであり、収納した野菜類を傷つけたり、作業者が怪我をする虞の無いものである。そして、野菜類を取り出した段ボール製包装箱を折り畳むには、底部のフラップの構造を一切の封緘材不要とする所謂ワンタッチ形式を採用していれば容易に折り畳み嵩張ることなく運搬、保管ができるうえ、開梱の際に段ボール製包装箱を傷つける虞がないのものである。
【００１３】
【発明の効果】
以上に説明したように、本発明の段ボール包装箱は、内フラップに形成した係止片がその押え片部を外フラップに設けた切欠部を介して内フラップの基端上面に添装した外フラップの突合せ板部の上部を押えたうえ先端の挿し込み片部を内フラップの基端に設けたスリットに挿し込んでいるの外フラップと内フラップは該係止片によりロックされて開蓋する虞もなく、挿し込み片部もスリットから箱主体内に位置するので段積みして上部に位置する箱を引きずっても破損してロック機能を損なうことも無いものである。また、係止片がロック状態の時は切欠部は開口された状態となり外気が箱主体内に流入するから箱詰めした白菜、キャベツ等の野菜類が蒸れて鮮度が落ちることのないものである。
従って、本発明の段ボール包装箱は従来の問題点を解決したものとして、その益大なものである。
【図面の簡単な説明】
【図１】本発明の実施形態を示す一部切欠斜視図である。
【図２】本発明の実施形態を態様を異にして示す斜視図である。
【図３】本発明の実施形態を態様を異にして示す斜視図である。
【図４】本発明の実施形態の要部を示す断面図である。
【図５】本発明の実施形態の段ボール素板を示す正面図である。
【図６】従来例を示す斜視図である。
【符号の説明】
１  箱主体扉
１１  側板部
１１ａ    折曲線
１２  側板部
１２ａ    折曲線
２  内フラップ
２１  切込線
３  係止片
３ａ  折返線
３ｂ  折曲線
３１  押え片部
３２  挿し込み片部
４  外フラップ
４１  突合せ板部
５  切欠部
【図１】
2004284669.tif 000003
【図２】
2004284669.tif 000004
【図３】
2004284669.tif 000005
【図４】
2004284669.tif 000006
【図５】
2004284669.tif 000007
【図６】
2004284669.tif 000008